(57)【要約】【課題】光源としてのＬＥＤから発生した熱の放熱効果を確保しつつ、灯室内での水滴の発生や浸入を抑制することができる照明器具及び照明装置を提供する。【解決手段】本発明は、前面に開口した金属製の外部ケース本体２１と、開口を閉成して外部ケース本体２１とで灯室２２を形成する板状のレンズ２３と、外部ケース本体２１とレンズ２３とで保持した金属製の基板２５と、基板２５のレンズ２３と対向する面に配置した複数の光源としてのＬＥＤ２６と、を備え、外部ケース本体２１の灯室２２側の内面から基板２５側に向けて突出する複数のリブ２１ａからなるヒートシンク部２１ｂと、ＬＥＤ２６の背面とヒートシンク部２１ｂとの間に配置されたペルチェ素子２９と、を備え、ＬＥＤ２６の点灯に伴う発熱を利用してペルチェ素子２９のペルチェ効果によって灯室２２の内部温度低下を抑制する。【選択図】図６
2013045568.tif 000002
【特許請求の範囲】
【請求項１】
前面に開口した金属製の外部ケース本体と、前記開口を閉成して前記外部ケース本体とで灯室を形成する板状のレンズと、前記外部ケース本体と前記レンズとで保持した金属製の基板と、該基板の前記レンズと対向する面に配置した複数の光源としてのＬＥＤと、を備えた照明器具において、
前記外部ケース本体の前記灯室側の内面から前記基板側に向けて突出する複数のリブからなるヒートシンク部と、前記ＬＥＤの背面と前記ヒートシンク部との間に配置されたペルチェ素子と、を備え、前記ＬＥＤの点灯に伴う発熱を利用して前記ペルチェ素子のペルチェ効果によって前記灯室内の温度低下を抑制することを特徴とする照明器具。
【請求項２】
前記外壁部の外表面には、アルマイトコーティング処理が施されていることを特徴とする請求項１に記載の照明器具。
【請求項３】
前記アルマイトコーティング処理がアルミ合金アルマイトコーティング処理であることを特徴とする請求項２に記載の照明器具。
【請求項４】
前記ペルチェ素子の前記ＬＥＤ側の面と前記ヒートシンク側の面との間には、前記灯室内を区画する仕切りが設けられていることを特徴とする請求項１乃至請求項３の何れかに記載の照明器具。
【請求項５】
前記外部ケース本体と前記レンズとの間に周壁の一部を構成する枠状の周壁部と、該周壁部から外部に向けて突出する取付フランジと、前記周壁部の内側に一体に設けられて前記基板を支持する支持板と、を備えていることを特徴とする請求項１乃至請求項４の何れかに記載の照明器具。
【請求項６】
前記支持板は前記灯室内を前記外部ケース本体側と前記レンズ側とで区画すると共に前記レンズ側の面で前記基板を支持していることを特徴とする請求項５に記載の照明器具。
【請求項７】
請求項５又は請求項６に記載の照明器具と、前記取付フランジと係合して前記照明器具を保持する灯体保持部材と、該灯体保持部材を支持すると共に前記灯体保持部材から前記基板に電源供給を行なう配電制御盤と、該配電制御盤を支持する支持構造体と、を備えていることを特徴とする照明装置。
【請求項８】
前記灯体保持部材は前記照明器具とは別にＬＥＤ以外の電球からなる第２の光源を備えていることを特徴とする請求項７に記載の照明装置。
【発明の詳細な説明】
【技術分野】
【０００１】
本発明は、外灯（街路灯・街灯）等の各種照明器具に関し、特に光源に複数のＬＥＤを用いた照明器具に関する。
【背景技術】
【０００２】
近年、各種照明器具の光源の長寿命化や電気代のコスト削減を目的として、光源にＬＥＤを用いた照明器具が開発・販売されつつある。
【０００３】
また、光源に複数のＬＥＤを配置した場合、そのＬＥＤの点灯に伴って発生する熱を放熱又は冷却する必要があることから、ファン等の動力を不要とした安価な放熱構成として、ヒートシンクを用いたものが知られている（例えば、特許文献１参照）。
【先行技術文献】
【特許文献】
【０００４】
【特許文献１】特開２００８−１９２９４０号公報
【発明の概要】
【発明が解決しようとする課題】
【０００５】
しかしながら、上述した照明器具にあっては、ＬＥＤの点灯に伴って発生した熱を放熱する機能しか具備していなかった。
【０００６】
したがって、このような複数のリブ等からなるヒートシンクを備えた照明器具を屋外設置の外灯（街路灯・街灯）等に適用した場合、特に豪雪地帯等の寒冷地（例えば、１日の平均気温−１０℃前後）に設置した場合にあっては、平均気温程度であればＬＥＤそのものの低温側の耐久性も十分に確保されているものの、平均気温を大幅に下回ったりするような場合にあっては（例えば、１９０２年１月２５日の旭川では、−４１．０℃）、ＬＥＤを基板に固定するための接着剤等の耐久性が追いつかなくなるなどに起因して、ＬＥＤの点灯不良、場合によってはＬＥＤが損傷する等の不具合が発生していた。
【０００７】
そこで、本発明は、光源としてのＬＥＤを採用した場合であっても、ＬＥＤの点灯に伴う発熱に対する放熱又は冷却効果を維持しつつ、特に、零下側の気温に対する耐久性を向上することができる照明器具を提供することを目的とする。
【課題を解決するための手段】
【０００８】
上記課題を解決するため、本発明の照明器具は、前面に開口した金属製の外部ケース本体と、前記開口を閉成して前記外部ケース本体とで灯室を形成する板状のレンズと、前記外部ケース本体と前記レンズとで保持した金属製の基板と、該基板の前記レンズと対向する面に配置した複数の光源としてのＬＥＤと、を備えた照明器具において、前記外部ケース本体の前記灯室側の内面から前記基板側に向けて突出する複数のリブからなるヒートシンク部と、前記ＬＥＤの背面と前記ヒートシンク部との間に配置されたペルチェ素子と、を備え、前記ＬＥＤの点灯に伴う発熱を利用して前記ペルチェ素子のペルチェ効果によって前記灯室内の温度低下を抑制するようにしたことを特徴とする。
【０００９】
本発明の照明器具によれば、周囲環境温度が極端に低下した場合であっても、ＬＥＤの点灯に伴う発熱を利用して問う室内の温度低下を抑制することにより、周辺環境温度低下に伴うＬＥＤの点灯不良や破損を抑制することができる。
【００１０】
この際、外壁部の外表面には、水滴等の表面付着を抑制するために、アルマイトコーティング処理、特に、アルミ合金アルマイトコーティング処理を施すのが望ましい。
【００１１】
また、本発明の照明器具は、前記ペルチェ素子の前記ＬＥＤ側の面と前記ヒートシンク側の面との間には、前記灯室内を区画する仕切りが設けられていることを特徴とする。
【００１２】
このような構成によれば、ＬＥＤの点灯に伴って発生した熱をペルチェ素子で有効利用を図ることができる。
【００１３】
さらに、本発明の照明器具は、前記外部ケース本体と前記レンズとの間に周壁の一部を構成する枠状の周壁部と、該周壁部から外部に向けて突出する取付フランジと、前記周壁部の内側に一体に設けられて前記基板を支持する支持板と、を備えていることを特徴とする。
【００１４】
このような構成によれば、周壁部によって照明器具全体の外観上の肉厚が調整されてデザイン上の汎用性が向上されると共に、取付フランジによって照明装置本体等への取り付けや電源供給（経路の確保）等を行なうことが可能となる。
【００１５】
しかも、本発明の照明器具は、前記支持板は前記灯室内を前記外部ケース本体側と前記レンズ側とで区画すると共に前記レンズ側の面で前記基板を支持していることを特徴とする。
【００１６】
このような構成によれば、灯室内の支持板と外壁部との間で吸熱・放熱作用を効率良く行なうことができ、灯室のＬＥＤ側（レンズ側）への水滴の浸入や塵埃等の侵入を抑制することができる。
【００１７】
また、本発明の照明装置は、請求項５又は請求項６に記載の照明器具と、前記取付フランジと係合して前記照明器具を保持する灯体保持部材と、該灯体保持部材を支持すると共に前記灯体保持部材から前記基板に電源供給を行なう配電制御盤と、該配電制御盤を支持する支持構造体と、を備えていることを特徴とする。
【００１８】
このような照明装置よれば、ＬＥＤを光源に用いた街路灯等の屋外に設置される照明装置として、降雨や降雪に伴って外壁部に付着した水滴を効率良く除去することができる。また、灯体保持部材に照明器具とは別のＬＥＤ以外の電球からなる第２の光源を配置すれば、消費電力や光源の耐久性を高く維持しつつ、意匠性の向上並びに照明光量の確保に貢献することが可能となる。
【発明の効果】
【００１９】
本発明の照明器具は、光源としてのＬＥＤから発生した熱の放熱効果を確保しつつ、灯室内での水滴の発生や浸入を抑制することができる。
【図面の簡単な説明】
【００２０】
【図１】本発明の一実施形態に係る照明器具を搭載した照明装置としての街路灯の上方からの斜視図である。
【図２】本発明の一実施形態に係る照明器具を搭載した照明装置としての街路灯の下方からの斜視図である。
【図３】本発明の一実施形態の照明器具を示す要部の分解斜視図である。
【図４】本発明の一実施形態の照明器具の平面図である。
【図５】本発明の一実施形態の照明器具を示し、（Ａ）は照明器具の正面図、（Ｂ）は照明器具の側面図である。
【図６】本発明の一実施形態の照明器具の断面図である。
【図７】本発明の一実施形態の照明器具の応用例を示し、（Ａ）はリブを形成した要部の断面図、（Ｂ）は溝を形成した要部の断面図である。
【図８】本発明の一実施形態の照明器具におけるスペーサと基板との関係を示す要部の分解斜視図である。
【図９】本発明の一実施形態に係る照明装置の応用例を示す要部の平面図である。
【発明を実施するための形態】
【００２１】
次に、本発明の一実施形態に係る照明器具及び照明装置について、図面を参照して説明する。尚、以下に示す実施例は本発明の照明器具及び照明装置における好適な具体例であり、技術的に好ましい種々の限定を付している場合もあるが、本発明の技術範囲は、特に本発明を限定する記載がない限り、これらの態様に限定されるものではない。また、以下に示す実施形態における構成要素は適宜、既存の構成要素等との置き換えが可能であり、かつ、他の既存の構成要素との組合せを含む様々なバリエーションが可能である。したがって、以下に示す実施形態の記載をもって、特許請求の範囲に記載された発明の内容を限定するものではない。
【００２２】
図１は本発明の一実施形態に係る照明器具を搭載した照明装置としての街路灯の上方からの斜視図、図２は本発明の一実施形態に係る照明器具を搭載した照明装置としての街路灯の下方からの斜視図、図３は本発明の一実施形態の照明器具を示す要部の分解斜視図、図４は本発明の一実施形態の照明器具の平面図、図５は本発明の一実施形態の照明器具を示し、図５（Ａ）は照明器具の正面図、図５（Ｂ）は照明器具の側面図、図６は本発明の一実施形態の照明器具の断面図、図７は本発明の一実施形態の照明器具の応用例を示し、図７（Ａ）はリブを形成した要部の断面図、図７（Ｂ）は溝を形成した要部の断面図、図８は本発明の一実施形態の照明器具におけるスペーサと基板との関係を示す要部の分解斜視図、図９は本発明の一実施形態に係る照明装置の応用例を示す要部の平面図である。
【００２３】
（街路灯の全体構成）
図１及び図２において、本発明に係る照明装置としての街路灯１０は、道路、歩道、公園、その他の屋外の地中等に下端が埋設された支柱等の支持構造体１１と、支持構造体１１の上端付近に設けられて屋外電線等から電源供給を受ける配電制御盤１２と、配電制御盤１２から一端（先端）が略水平方向に突出した状態で他端が固定された灯体保持部材１３と、灯体保持部材１３に着脱可能に複数保持された照明器具２０と、を備えている。
【００２４】
（支持構造体１１の構成）
支持構造体１１は、支柱としての金属製ポール等が用いられているが、設置環境（例えば、豪雪地帯や沿岸部等）に応じて、コンクリート製ポール等を用いることができる。また、ビル等の外壁を支持構造体１１とすることも可能である。この際、配電制御盤１２をビル等の外壁に直接設置することができる。さらに、公園等の場合には、支柱やビル外壁に変えて既存の施設（例えば、公衆トイレ外壁等）を支持構造体１１とすることも可能である。しかも、これらビルや公園既存施設の外壁等を支持構造体１１の一部として利用し、照明器具２０を所望の場所から照明可能となる位置にまで外壁等から延在して支持構造体１２とする等、その形態は設置箇所に応じて適宜である。
【００２５】
（配電制御盤１２の構成）
配電制御盤１２は、図示しない電線から供給された電源を定格（１００Ｖ）に変換して灯体保持部材１３に供給するもので、電源回路や点灯回路等の公知の制御回路が設けられている。また、配電制御盤１２は、例えば、その上面や支持構造体１１などにソーラセルを配置し、所謂、太陽電池方式を電源供給に採用した場合（併用を含む）、充放電コントローラや蓄電池等が設けられる。
【００２６】
（灯体保持部材１３の構成）
灯体保持部材１３は、本実施の形態では、シャフト状のものが用いられており、その上面側に蒲鉾形状（トンネル形状）を呈する上面カバー１４と、上面カバー１４の底面側に位置する底面カバー１５と、備えている。また、底面カバー１５は上面カバー１４にボルト等の締結部材を用いて上面カバー１４に固定されており、この状態で各照明器具２０を個々に着脱可能としている。尚、各照明器具２０の保持（取り付け）や電源供給等は後述する。
【００２７】
上面カバー１４は、耐熱性（雪や直射日光等を含む）及び強度に優れた樹脂材料等から形成されており、配電制御盤１２と電気的に接続された電源供給線（例えば、プリント敗戦基板等）を保護している。また、上面カバー１４は、その電源供給線の保持と共に底面カバー１５を保持するための取付部（図示せず）が配置されている。
【００２８】
底面カバー１５は、金属（例えば、アルミニウム）等の比較的硬質な材料から形成されている。本実施の形態においては、長手方向（灯体保持部材１３から突出する方向）に沿って複数のリブ１５ａを形成することによって、方持ちの基部側（灯体保持部材１３側）から突出端（先端）側に長尺とした場合の突出端側の垂れ（撓み）を抑制している。
【００２９】
（照明器具２０の構成）
照明器具２０は、図３乃至図６に示すように、前面（街路灯１０への設置状態で底面）に開口する金属製の外部ケース本体２１と、その開口を閉成して外部ケース本体２１とで灯室２２を形成するレンズ２３と、外部ケース本体２１の周縁とレンズ２３の周縁とで挟持したフレーム部材２４と、フレーム部材２４に固定した金属製の基板２５と、基板２５のレンズ２３との対向面に配置した複数の光源としてのＬＥＤ２６と、を備えている。
【００３０】
（外部ケース本体２１の構成）
外部ケース本体２１の灯室２２側の内面は、基板２５側に向けて突出する複数のリブ２１ａからなるヒートシンク部２１ｂと、外部ケース本体２１の中心付近から周縁に向かう程に少なくとも外観上で肉厚が薄肉となる外壁部２１ｃと、を備えている。尚、外壁部２１ｃは、基本的に同一の肉厚から構成されており、その外表面には、アルマイトコーティング処理（例えば、アルミ合金アルマイトコーティング処理）を施しており、後述する外壁部２１ｃの形状と相俟って、雨水や雪（雪解け水）が流れ易くなっている。また、外部ケース本体２１は、本実施の形態では、図４に示すように、平面視略正方形を呈しているが、円形や多角形等のデザインを考慮した形状とすることができる。また、外部ケース本体２１には、比較的軽量で強度が高く、特に、街路灯１０などとして屋外に用いる場合においては耐食性（腐食性）及び熱伝導率が高い金属又は合金をベースとしており、必要に応じて（自然環境、ＬＥＤ２６の個数、灯室２２内の容積等を勘案）樹脂材料に、電磁波吸収・放熱・絶縁性に優れた金属粒子からなるコーティング処理を施しても良い。本実施の形態では、アルミニウム（又はアルミニウム合金）を基材としてダイカストによりヒートシンク部２１ｂを一体に同時形成すると共に、四辺（周縁）と中心付近とで外観上の肉厚が中心側から周縁に向かう程に薄肉となるように、略ドーム形状（山型形状）に形成している。尚、本実施の形態においては、外部ケース本体２１の外壁部２１ｃを対向する二辺と他の二辺とで、曲率を同じとしている。また、対向する二辺と中心付近とで外観上の肉厚が中心側から周縁に向かう程に薄肉となるように、略蒲鉾形状に形成しても良い。さらに、本実施の形態においては、後述する取付フランジ２４ｂから基板２５に電源供給用の配線が配策されるため、外壁部２１ｃのうち、取付フランジ２４ｂが突出している辺を除く対向する二辺の曲率を高くして周縁に向かう程に薄肉化を大きくし、取付フランジ２４ｂが突出している辺を含む対向する二辺の曲率を低くして周縁に向かう程に薄肉化を低くし、水滴等が取付フランジ２４ｂに流れ難くなるように構成している。したがって、図７（Ａ），（Ｂ）に示すように、この取付フランジ２４ｂが突出している側の辺（周縁）に水滴を薄肉側の二辺に向かって案内するように突出したリブ２１ｄ（図７（Ａ））や樋受け状の溝２１ｅ（図７（Ｂ））を形成しても良い。
【００３１】
ヒートシンク部２１ｂは、外部ケース本体２１の成形時による一体成形、又は、切削加工によって形成されており、各リブ２１ａの先端がＬＥＤ２６の背面と対向するように等間隔で形成することにより、その全体でＬＥＤ２６の点灯に伴って発生した熱を効率良く吸熱し、外壁部２１ｃから大気へと放熱される。
【００３２】
（レンズ２３の構成）
レンズ２３は、樹脂又は金属からなる矩形枠状のレンズフレーム２７と、レンズフレーム２７に保持された樹脂製レンズ本体２８と、を備えている。
【００３３】
なお、樹脂性レンズ本体２８は、基本的には無色透明のものを用いるが、有色透明でも良い。また、樹脂性レンズ本体２８には、１枚プレート状のものに、各ＬＥＤ２６から出射された照明光束が全体として所定配光となるようにプリズムレンズ（例えば、フレネルレンズ）等が形成されている。この際、例えば、各ＬＥＤ２６を単位として複数のレンズプレート（分割レンズ）を組み合わせると共に、各レンズプレートにプリズムレンズを形成しても良い。
【００３４】
（フレーム部材２４の構成）
フレーム部材２４は、外部ケース本体２１とレンズ２３との間の周壁の一部を構成する枠状の周壁部２４ａと、周壁部２４ａから外部に向けて突出する取付フランジ２４ｂと、周壁部２４ａの内側に一体に設けられて基板２５を支持する支持板２４ｃと、を樹脂の一体成形等により一体に備えている。また、支持板２４ｃは、灯室２２を外部ケース本体２１側とレンズ２３側とで区画することでＬＥＤ２６の背面側、即ち、ヒートシンク部２１ｂ側に暖かい空気を充満させ、ＬＥＤ２６および樹脂製レンズ本体２８側の空気が高温化し難いようにしている。さらに、支持板２４ｃには、図８に示すように、その四隅付近から突出する脚部２４ｄにより支持板２４ｃから浮いた状態で基板２５を支持している。また、周壁部２４ａと取付フランジ２４ｂとの中間付近の境界部分には配線用の開口２４ｅが形成されている。
【００３５】
取付フランジ２４ｂには、底面カバー１５に照明器具２０の全体を装着（ネジ固定）するための止め孔２４ｆが形成されている。
【００３６】
支持板２４ｃの略中央部には、ペルチェ素子２９を貫通状態で保持する取付開口２４ｇが形成されている。
【００３７】
ペルチェ素子２９は、本実施の形態においては、支持板２４ｃの略中央に配置されている。なお、ペルチェ素子２９は、本実施の形態に示すように、１箇所でも良いし、複数個所でも良い。また、ペルチェ素子２９は、季節（例えば、夏季と冬季）とで表裏を逆に配置することも可能である。これにより、例えば、冬季においては、ＬＥＤ２６の点灯に伴う発熱を利用して、ペルチェ効果により支持板２４ｃよりも上方（支持板２４ｃとヒートシンク部２１ｂとの間の灯室２２）と支持板２４ｃよりも下方（支持板２４ｃと樹脂性レンズ本体２８との間の灯室２２）との温度差を無くし、外気（冷気）による灯室２２の内部温度が極端に下がらないようにすることができる。また、夏季においては、ＬＥＤ２６の点灯に伴う発熱を放熱するため、ゼーベック効果により支持板２４ｃよりも上方（支持板２４ｃとヒートシンク部２１ｂとの間の灯室２２）と支持板２４ｃよりも下方（支持板２４ｃと樹脂性レンズ本体２８との間の灯室２２）との温度差を無くし、発熱による灯室２２の内部温度が極端に上がらないようにすることができる。尚、支持板２４ｃの適宜複数個所等に、支持板２４ｃの上方側と下方側とで対流（循環）作用が働くように、連通孔２４ｈを形成しても良い（図３，図８参照）。
【００３８】
（作用）
上記の構成において、例えば、配電制御盤１２に配置されたタイマーや明暗センサ（共に図示せず）によって灯体保持部材１３及び取付フランジ２４ｂ（開口２４ｅ）を経由して基板２５に電源が供給されると、ＬＥＤ２６が点灯し、レンズ２３によって所定の配光パターンで周囲が照明される。
【００３９】
また、ＬＥＤ２６の点灯に伴い、各ＬＥＤ２６の背面側から発熱すると、その熱は各リブ２１ａからヒートシンク部２１ｂに吸熱され、外壁部２１ｃから放熱される。
【００４０】
この際、例えば、降雪時においても、外壁部２１ｃの外表面（大気側）には、ヒートシンク構造が採用されていないため、雪の詰まり等を抑制することができ、放熱効果の低下を抑制することができる。
【００４１】
また、灯室２２の内部温度は、ペルチェ素子２９の温度変換効果を利用して、夏季は灯室２２の内部温度が上昇し過ぎないように放熱機能を重視し、冬季は灯室２２の内部温度が下降し過ぎないように保温機能を重視することができる。このため、特に、冬季等の外気温度が低い場合において、ＬＥＤ２６の点灯不良や破損の発生といった不具合を抑制することができる。
【００４２】
（応用例）
ところで、上記実施の形態では、光源にＬＥＤ２６を用いたものを開示したが、例えば、図９示すように、中央に白熱灯、メタルハライドランプ、水銀灯といった公知の電球等を第２の光源１６として配置し、照明光量の確保等に貢献することができる。また、ＬＥＥＤ２６の点灯色や第２の光源１６の点灯色を異ならせることにより、街路灯１０としての装飾性（イルミネーション効果）を向上することができる。
【００４３】
（実施例効果）
このように、本発明の照明器具２０にあっては、前面に開口した金属製の外部ケース本体２１と、開口を閉成して外部ケース本体２１とで灯室２２を形成する板状のレンズ２３と、外部ケース本体２１とレンズ２３とで保持した金属製の基板２５と、基板２５のレンズ２３と対向する面に配置した複数の光源としてのＬＥＤ２６と、を備え、外部ケース本体２１の灯室２２側の内面から基板２５側に向けて突出する複数のリブ２１ａからなるヒートシンク部２１ｂと、ＬＥＤ２６の背面とヒートシンク部２１ｂとの間に配置されたペルチェ素子２９と、を備え、ＬＥＤ２６の点灯に伴う発熱を利用してペルチェ素子２９のペルチェ効果によって灯室２２内の温度低下を抑制することにより、周囲環境温度が極端に低下した場合であっても、ＬＥＤ２６の点灯に伴う発熱を利用して灯室２２の内部温度低下を抑制することにより、周辺環境温度低下に伴うＬＥＤ２６の点灯不良や破損を抑制することができる。
【００４４】
また、本発明の照明器具２０は、ペルチェ素子２９のＬＥＤ２６側の面とヒートシンク部２１ｂ側の面との間には、灯室２２を区画する仕切りとしての支持板２４ｃが設けられていることにより、ＬＥＤ２６の点灯に伴って発生した熱をペルチェ素子２９で有効利用を図ることができる。
【００４５】
さらに、本発明の照明器具２０は、外部ケース本体２１とレンズ２３との間に周壁の一部を構成する枠状の周壁部２４ａと、周壁部２４ａから外部に向けて突出する取付フランジ２４ｂと、周壁部２４ａの内側に一体に設けられて基板２５を支持する支持板２４ｃと、を備えていることにより、周壁部２４ａによって照明器具２０の全体の外観上の肉厚が調整されると共に、取付フランジ２４ｂによって街路灯１０への取り付けや電源供給等を行なうことが可能となる。
【００４６】
しかも、本発明の照明器具２０は、支持板２４ｃは灯室２２内を外部ケース本体２１側とレンズ２３側とで区画すると共にレンズ２３側の面で基板２５を支持していることにより、灯室２２内の支持板２４ｃと外壁部２１ｃとの間で吸熱・放熱作用を効率良く行なうことができ、灯室２２のＬＥＤ２６側（レンズ２３側）への水滴の浸入や塵埃等の侵入を抑制することができる。
【００４７】
また、本発明の街路灯１０は、照明器具２０と、取付フランジ２４ｂと係合して照明器具２０を保持する灯体保持部材１３と、灯体保持部材１３を支持すると共に灯体保持部材１３から基板２５に電源供給を行なう配電制御盤１２と、配電制御盤１２を支持する支持構造体１１と、を備えていることにより、ＬＥＤ２６を光源に用いた街路灯１０のように屋外に設置される照明装置として、降雨や降雪に伴って外壁部２１ｃに付着した水滴を効率良く除去することができる。また、灯体保持部材１３に照明器具２０とは別のＬＥＤ以外の電球からなる第２の光源１６を配置すれば、消費電力や光源（ＬＥＤ２６）の耐久性を高く維持しつつ、意匠性の向上並びに照明光量の確保に貢献することが可能となる。
【符号の説明】
【００４８】
１０…街路灯
１１…支持構造体
１２…配電制御盤
１３…灯体保持部材
１６…第２の光源
２０…照明器具
２１…外部ケース本体
２１ａ…リブ
２１ｂ…ヒートシンク部
２１ｃ…外壁部
２２…灯室
２３…レンズ
２４…フレーム部材
２４ａ…周壁部
２４ｂ…取付フランジ
２４ｃ…支持板
２４ｇ…取付開口
２５…基板
２６…ＬＥＤ
２９…ペルチェ素子
【図１】
2013045568.tif 000003
【図２】
2013045568.tif 000004
【図３】
2013045568.tif 000005
【図４】
2013045568.tif 000006
【図５】
2013045568.tif 000007
【図６】
2013045568.tif 000008
【図７】
2013045568.tif 000009
【図８】
2013045568.tif 000010
【図９】
2013045568.tif 000011